(57)【要約】【課題】回路数の増減に容易に対応できる直流用分岐回路保護装置を提供する。【解決手段】直流用の分電盤には、直流電源の主幹配線から分岐される分岐線毎に設けられた回路遮断器５と、回路遮断器５の開閉を制御するコントローラ６とが、内器として収納されている。回路遮断器５は、主幹配線に接続される電源側接続端子ｔ１，ｔ２と、負荷側の配線が接続される負荷側接続端子ｔ３，ｔ４と、電源側接続端子ｔ１，ｔ２と負荷側接続端子ｔ３，ｔ４の間を接続する電路の途中に設けられた半導体スイッチ素子５７と、電路に流れる電流を検出する電流検出抵抗５６と、コントローラ６から入力される開閉制御信号に応じて半導体スイッチ素子５７を開閉させるとともに、電流検出抵抗５６の両端電圧から求めた電流値が設定電流を超えると半導体スイッチ素子５７を強制開極させる演算回路６０を備えている。【選択図】図１
2011010393.tif 000002
【特許請求の範囲】
【請求項１】
直流電源を分岐線に分配する分電盤に内器として収納され、直流電源の主幹配線から分岐される分岐線毎に設けられた回路遮断器を具備し、
回路遮断器は、分電盤内で主幹配線に接続される電源側接続端子と、負荷側の配線が接続される負荷側接続端子と、電源側接続端子と負荷側接続端子の間を接続する電路の途中に設けられた半導体スイッチ素子と、前記電路に流れる電流を検出する電流検出手段と、負荷側接続端子に接続される負荷に応じた設定電流が設定される電流設定手段と、電流検出手段の検出値が電流設定手段に設定された設定電流を超えると半導体スイッチ素子を強制開極させる開閉制御手段と、前記電路の途中に設けられ手動操作部による開閉操作に応じて開極又は閉極する開閉スイッチを備えたことを特徴とする直流用分岐回路保護装置。
【請求項２】
前記電源側接続端子は、前記分電盤内で前記主幹配線を構成する導電バーに差込接続される差込接続端子からなり、前記負荷側接続端子は、電線の被覆が剥かれた芯線が差込接続される速結構造の端子部からなることを特徴とする請求項１記載の直流用分岐回路保護装置。
【請求項３】
前記回路遮断器の開閉を制御するコントローラが、回路遮断器とともに前記分電盤に内器として収納され、回路遮断器の開閉制御手段が、コントローラから入力される開閉制御信号に応じて半導体スイッチ素子を開閉させることを特徴とする請求項１又は２の何れか１項に記載の直流用分岐回路保護装置。
【請求項４】
前記回路遮断器が複数設けられ、前記コントローラに、複数の回路遮断器を順番に開極又は閉極させるシーケンスを記憶した記憶手段と、当該記憶手段に記憶されたシーケンスにしたがって複数の回路遮断器を順番に開極又は閉極させるように、各回路遮断器に開閉制御信号を出力する制御信号出力手段とが設けられたことを特徴とする請求項３記載の直流用分岐回路保護装置。
【請求項５】
前記回路遮断器に、前記電流検出手段の検出値を監視信号として前記コントローラに出力させる監視信号出力手段が設けられたことを特徴とする請求項３又は４の何れか１項に記載の直流用分岐回路保護装置。
【発明の詳細な説明】
【技術分野】
【０００１】
本発明は、直流用分岐回路保護装置に関するものである。
【背景技術】
【０００２】
従来、負荷を過電流から保護する保護機能を備えた電源装置として、図５（ａ）に示すように、複数の負荷Ｌ１〜Ｌ４がスイッチＳ１〜Ｓ４を介してそれぞれ並列接続される定電圧源Ｅの出力端にフューズＦを設けた電源装置１００がある。
【０００３】
この電源装置１００では、定電圧源Ｅの出力端に接続されたフューズＦで、複数の負荷Ｌ１〜Ｌ４を過電流から保護しているため、過電流によってフューズＦが溶断すると、全ての負荷Ｌ１〜Ｌ４への給電が遮断されてしまうという問題があった。
【０００４】
そこで、分岐回路毎に負荷を過電流から保護するため、図５（ｂ）に示すように、複数の負荷回路が分岐接続される分岐接続部１０２を備え、分岐接続部１０２に接続される複数の負荷Ｌ１〜Ｌ３に、内蔵するサーキットプロテクタＣＰ１〜ＣＰ３を介して定電圧源Ｅから直流電力を供給する電源装置１０１も従来提供されている（例えば、特許文献１〜４参照）。この電源装置１０１では、負荷Ｌ１〜Ｌ３の何れかで短絡等が発生して過電流が流れると、対応するサーキットプロテクタＣＰ１〜ＣＰ３が遮断動作を行うことで、過電流が流れた分岐回路への給電のみが遮断されるから、残りの負荷回路への給電は継続して行うことができる。
【先行技術文献】
【特許文献】
【０００５】
【特許文献１】特開２００２−２５２９２３号公報
【特許文献２】特開２００５−２９５７９１号公報
【特許文献３】特開２００７−２５２０８１号公報
【特許文献４】特開２００８−２５９２５４号公報
【発明の概要】
【発明が解決しようとする課題】
【０００６】
上述した従来の電源装置１０１では、所定個数のサーキットプロテクタＣＰ１〜ＣＰ３が予め内蔵されているため、分岐回路の数が固定的であり、回路数の変更に容易に対応することができず、拡張性や融通性に乏しいという問題点があった。
【０００７】
本発明は上記問題点に鑑みて為されたものであり、その目的とするところは、回路数の増減に容易に対応できる、拡張性や融通性の高い直流用分岐回路保護装置を提供することにある。
【課題を解決するための手段】
【０００８】
上記目的を達成するために、請求項１の発明は、直流電源を分岐線に分配する分電盤に内器として収納され、直流電源の主幹配線から分岐される分岐線毎に設けられた回路遮断器を具備し、回路遮断器は、分電盤内で主幹配線に接続される電源側接続端子と、負荷側の配線が接続される負荷側接続端子と、電源側接続端子と負荷側接続端子の間を接続する電路の途中に設けられた半導体スイッチ素子と、電路に流れる電流を検出する電流検出手段と、負荷側接続端子に接続される負荷に応じた設定電流が設定される電流設定手段と、電流検出手段の検出値が電流設定手段に設定された設定電流を超えると半導体スイッチ素子を強制開極させる開閉制御手段と、電路の途中に設けられ手動操作部による開閉操作に応じて開極又は閉極する開閉スイッチを備えたことを特徴とする。
【０００９】
請求項２の発明は、請求項１の発明において、電源側接続端子は、分電盤内で主幹配線を構成する導電バーに差込接続される差込接続端子からなり、負荷側接続端子は、電線の被覆が剥かれた芯線が差込接続される速結構造の端子部からなることを特徴とする。
【００１０】
請求項３の発明は、請求項１又は２の発明において、回路遮断器の開閉を制御するコントローラが、回路遮断器とともに分電盤に内器として収納され、回路遮断器の開閉制御手段が、コントローラから入力される開閉制御信号に応じて半導体スイッチ素子を開閉させることを特徴とする。
【００１１】
請求項４の発明は、請求項３の発明において、回路遮断器が複数設けられ、コントローラに、複数の回路遮断器を順番に開極又は閉極させるシーケンスを記憶した記憶手段と、当該記憶手段に記憶されたシーケンスにしたがって複数の回路遮断器を順番に開極又は閉極させるように、各回路遮断器に開閉制御信号を出力する制御信号出力手段とが設けられたことを特徴とする。
【００１２】
請求項５の発明は、請求項３又は４の発明において、回路遮断器に、電流検出手段の検出値を監視信号としてコントローラに出力させる監視信号出力手段が設けられたことを特徴とする。
【発明の効果】
【００１３】
請求項１の発明によれば、回路遮断器は分電盤に内器として収納されるので、必要な個数の回路遮断器を備えることによって、分岐回路の数の増減に容易に対応でき、しかも回路遮断器では、負荷に応じた設定電流を超える電流が流れると半導体スイッチ素子が強制開極されるから、分岐回路毎に負荷を保護することができるという効果がある。さらに、手動操作部による開閉操作に応じて開閉スイッチが開極又は閉極させられるので、分岐回路側で保守作業を行う際などに、手動操作部を操作して開閉スイッチを強制的に開極させることで、保守作業を安全に行うことができるという効果もある。
【００１４】
請求項２の発明によれば、回路遮断器の電源側接続端子を導電バーに接続したり、負荷側接続端子に負荷からの電線を接続する作業を容易に行えるという効果がある。
【００１５】
請求項３の発明によれば、コントローラから入力される開閉制御信号に応じて半導体スイッチ素子を開閉させているので、分岐回路への給電をコントローラによってオン／オフさせることができる。
【００１６】
請求項４の発明によれば、複数の回路遮断器に接続される分岐回路を記憶手段に記憶されたシーケンスにしたがって順次閉路したり、順次開路したりすることで、複数の分岐回路に接続される負荷に所定の順番で給電を開始したり、給電を停止したりすることができる。
【００１７】
請求項５の発明によれば、コントローラ側で分岐回路に流れる電流値を把握することができる。
【図面の簡単な説明】
【００１８】
【図１】本実施形態の直流用分岐回路保護装置のブロック図である。
【図２】同上の外観斜視図である。
【図３】（ａ）〜（ｃ）は同上の異常電流遮断特性を示す説明図である。
【図４】同上を用いるＡＣ／ＤＣハイブリッド配線システムのシステム構成図である。
【図５】（ａ）（ｂ）は従来の電源装置の回路図である。
【発明を実施するための形態】
【００１９】
以下に本発明の実施の形態を図面に基づいて説明する。
【００２０】
近年、地球温暖化対策として温室効果ガスの排出量を削減することが求められており、民生部門においてもエネルギー起源の二酸化炭素排出量を削減するために、電力消費の削減が図られている。
【００２１】
一般家庭では様々な家電製品が使用されているが、現状では多くの家電製品が交流電源で駆動されるため、一般家庭においては電力会社から供給される交流電力を住宅内に配電して、家電製品を動作させていた。一方、家電製品の中には、空調機器や冷蔵庫や洗濯機などインバーター制御方式を採用した機器が増えており、このような電気機器では家庭内のコンセントから給電される交流電力を内部のＡＣ／ＤＣコンバータで直流電力に一旦変換した後、さらにインバータ回路で交流に変換して負荷を動作させており、交流から直流、直流から交流の２度の変換が行われるため、電力変換の際の電力損失が増大するという問題があった。
【００２２】
そこで、本出願人は、従来からある商用交流電源を供給するための交流配線系統に加えて、直流電源を供給するための直流配線系統を並設したＡＣ／ＤＣハイブリッド配線システムを住宅に導入することを提案している。
【００２３】
図４はＡＣ／ＤＣハイブリッド配線システムのシステム構成を示し、図示するシステムでは交流配線系統に加えて直流配線系統が２系統設けられており、住宅内には直流配線系統のＤＣ分電盤１Ａ，１Ｂと交流配線系統の交流用分電盤３０が設置されている。尚、２系統の直流配線系統は、例えばＤＣ１２Ｖ、ＤＣ２４、ＤＣ４８Ｖなどの安全特別低電圧（ＳＥＬＶ：Safety Extra-Low Voltage）電源を供給する低圧ＤＣ配線系統と、ＳＥＬＶ電源に比べて高圧の直流電圧（例えばＤＣ±１５０Ｖと両端間でＤＣ３００Ｖ）を直流負荷に供給する高圧ＤＣ配線系統とで構成される。
【００２４】
高圧ＤＣ配線系統のＤＣ分電盤１Ａは、主幹開閉器２と漏電遮断器３と分岐開閉器４とを内器として本体の内部に収納している。主幹開閉器２には、直流電源から本体内部に引き込まれた３本の直流電力線１１（ＤＣ１５０Ｖ線とＤＣ−１５０Ｖ線とＧＮＤ線）が接続されるとともに、主幹開閉器２の負荷側端子には、漏電遮断器３を介して、本体内部に配置された３本の導電バー１２が接続されている。そして、ＤＣ１５０Ｖ又はＤＣ（−１５０Ｖ）の導電バー１２とＧＮＤの導電バー１２との間に１５０Ｖ用の分岐開閉器４が接続され、ＤＣ１５０Ｖの導電バー１２とＤＣ（−１５０Ｖ）の導電バー１２との間に３００Ｖ用の分岐開閉器４が接続されており、これらの分岐開閉器４を介して住宅内に配線された高圧ＤＣ配線１３に高圧の直流電力が給電される。高圧ＤＣ配線１３はＤＣ分電盤１Ａから宅内の各部屋まで配線され、要所にはＤＣコンセント８０が設けられている。ＤＣコンセント８０に接続される空調機器８１、冷蔵庫８２、電磁調理器８３などの直流機器では、内蔵のインバータ回路によってＤＣコンセント８０から供給された直流電圧を高周波の交流電圧に変換して、負荷を動作させている。
【００２５】
ここにおいて、直流電力線１１には、交流用分電盤３０から供給される交流電力を直流に変換するＡＣ／ＤＣコンバータ２１と、太陽光発電設備４１などの分散電源４０から供給される直流電圧の電圧値を変換するＤＣ／ＤＣコンバータ２２と、例えばリチウムイオン電池や電気二重層キャパシタを用いた電力貯蔵装置４２の充放電を制御する充放電制御装置２３が接続されている。電力貯蔵装置４２は、商用交流電源の電力料金が安い深夜に交流を直流に変換した電力を充電しておいて、電力料金の高い昼間に放電したり、太陽光発電設備４１による発電量の余剰分を充電しておいて、負荷平準化等で必要な時に利用するために用いられる。なお、図中の２４，２５は分散電源４０、電力貯蔵装置４２を直流電力系統から切り離すための開閉器であり、図中の２６は系統保護のための保護器である。
【００２６】
また、低圧ＤＣ配線系統のＤＣ分電盤１Ｂは、複数個の回路遮断器５（分岐開閉器）を内器として盤内に収納してある。ＤＣ分電盤１Ｂの内部にはＤＣ／ＤＣコンバータ１６からの直流電力線１５が引き込まれ、本体内部に配置された導電バー１７には複数個の回路遮断器５が接続されている。ＤＣ／ＤＣコンバータ１６は、ＤＣ分電盤１Ａから供給される高圧の直流電圧をＳＥＬＶに変換しており、ＤＣ分電盤１Ｂ内部の導電バー１７には直流電力線１５を介してＳＥＬＶが供給されている。そして、回路遮断器５を介して住宅内に配線された低圧ＤＣ配線１８には、例えば壁スイッチ８４を介してダウンライトのようなＬＥＤ照明器具８５が接続され、ＳＥＬＶの供給を受けて動作する。なお低圧ＤＣ配線１８には電話、パーソナルコンピュータ、薄型テレビ、ＨＤＤレコーダ、２４時間換気システムの換気扇、足下灯などＳＥＬＶで動作する直流機器が接続されている。また低圧用ＤＣ分電盤１Ｂには、ＳＥＬＶを利用する機器、例えば宅内の設備機器が接続された宅内ＬＡＮへの宅外ネットワークからの不正アクセスを防止する機能を備えた情報ブレーカ７、スイッチングＨＵＢ８などの情報機器や、ＳＥＬＶ電源を給電するためのＤＣコンセント９を内器として収納してもよい。
【００２７】
一方、交流用分電盤３０では、本体３０ａ内に引き込まれた、単相３線の商用交流電源の電力線３３が主幹開閉器３１に接続されている。主幹開閉器３１の負荷側端子にはＬ１相、Ｌ２相、Ｎ相にそれぞれ対応した導電バー３４が接続され、Ｎ相の導電バーとＬ１相又はＬ２相の導電バーの間に１００Ｖ用の分岐開閉器３２が接続されるとともに、Ｌ１相の導電バーとＬ２相の導電バーの間に２００Ｖ用の分岐開閉器３２が接続される。屋内の交流分岐配線３５には、１００Ｖ用の分岐開閉器３２を介してＡＣ１００Ｖの交流電源が供給される１００Ｖ系配線と、２００Ｖ用の分岐開閉器３２を介してＡＣ２００Ｖの交流電源が供給される２００Ｖ系配線があり、１００Ｖ系で動作する照明器具、掃除機、洗濯機などの交流機器や、２００Ｖ系で動作する空調機器、冷蔵庫、電磁調理器などの交流機器がそれぞれ接続されている。
【００２８】
本発明に係る直流用分岐回路保護装置は、低圧用のＤＣ分電盤１Ｂに内器としてそれぞれ収納される回路遮断器５及びコントローラ６で構成される。
【００２９】
回路遮断器５の器体５０は、図２に示すように分電盤用機器の１極タイプと同等の寸法に形成されており、長手方向における一端側には導電バー１７が差込接続される差込溝５０ａが設けられ、差込溝５０ａ内に刃受ばね部材からなる電源側接続端子（図示せず）が配置されている。また器体５０の長手方向における他端側には、負荷側からの電線が挿入される電線挿入口５０ｂが開口するとともに、電線挿入口５０ｂに臨んで速結端子構造の負荷側接続端子（図示せず）が収納されており、被覆の剥かれた電線の芯線を電線挿入口５０ｂに挿入すると、内部に配置された負荷側接続端子に電線が接続されるとともに、電線の抜けが防止されるようになっている。また器体５０の前面には、内蔵された後述の開閉スイッチ５２を手動操作で開閉するための操作ハンドル５１や、例えばＬＥＤからなり動作状態を点灯状態で表示する表示部５９が配置されている。尚、速結構造の端子部については、例えば特開２００４−２３４９２１号公報に開示されているような従来周知の端子部を使用しているので、図示および説明は省略する。
【００３０】
次に、回路遮断器５の回路構成について図１を参照して説明する。回路遮断器５は、導電バー１７に差込接続される上記の電源側接続端子ｔ１，ｔ２と、負荷からの電線が接続される上記の負荷側接続端子ｔ３，ｔ４とを備えるとともに、端子ｔ１−ｔ３間の導電路、端子ｔ２−ｔ４間の導電路に両切り接点からなる開閉スイッチ５２が接続されており、この開閉スイッチ５２は、操作ハンドル５１の開閉操作に応じてオン／オフが切り替えられる。また正極側の負荷側接続端子ｔ３と開閉スイッチ５２との間には、ＭＯＳＦＥＴのような半導体スイッチ素子５３と、電流検出抵抗５４と、温度ヒューズ５５と、電流検出抵抗５６と、ＭＯＳＦＥＴのような半導体スイッチ素子５７とが直列に接続されている。また、回路遮断器５はコントローラ６との間で信号を入出力するＩ／Ｆ回路６２を備え、Ｉ／Ｆ回路６２を介してコントローラ６からの開閉制御信号が演算回路６０に入力されると、開閉制御手段たる演算回路６０は、開閉制御信号の制御内容にしたがって半導体スイッチ素子５７をオン又はオフさせる。また演算回路６０では、ＬＥＤからなる表示部５９の点灯状態を変化（点灯、消灯又は点滅）させることで、動作状態を表示している。なお、演算回路６０の動作電源を作成する電源回路６１は、開閉スイッチ５２の上流側から電源を得ており、開閉スイッチ５２のオフ時にも演算回路６０を動作させることができる。
【００３１】
ここで、半導体スイッチ素子５３は、電流検出抵抗５４の電圧降下が所定の基準値を超えるとオフするものであり、電路に流れる電流を所定の基準値（例えば１５Ａ）に制限する。
【００３２】
また演算回路６０では、電流検出手段としての電流検出抵抗５６に生じる電圧降下に基づいて、過負荷電流や短絡電流などの異常電流が流れたことを検出すると、予め設定された遮断特性にしたがって半導体スイッチ素子５７をオフさせる。ここにおいて、演算回路６０による遮断特性は、瞬時検出型、標準検出型、長時間検出型、マグオンリーなどの特性に設定することができる。
【００３３】
図３（ａ）は瞬時検出型の遮断特性を示し、ｘ（Ａ）以上の電流が２０ｍｓ継続して流れると、演算回路６０は半導体スイッチ素子５７をオフさせる。図３（ｂ）は標準検出型の遮断特性を示し、ｘ（Ａ）以上且つ１０Ａ未満の電流が１００ｍｓ継続して流れるか、１０Ａ以上且つ１３Ａ未満の電流が６０ｍｓ以上継続して流れるか、或いは１３Ａ以上の電流が２０ｍｓ以上継続して流れると、演算回路６０が半導体スイッチ素子５７をオフさせる。図３（ｃ）は長時間検出型の遮断特性を示し、ｘ（Ａ）以上且つ１０Ａ未満の電流が１０００ｍｓ以上継続して流れるか、１０Ａ以上且つ１３Ａ未満の電流が８００ｍｓ以上継続して流れるか、或いは１３Ａ以上の電流が２０ｍｓ以上継続して流れると、演算回路６０が半導体スイッチ素子５７をオフさせる。尚、何れの遮断特性でも１５Ａ以上の電流が流れた場合は、半導体スイッチ素子５３によって電路が遮断される。また、図３（ａ）〜（ｃ）に示す遮断特性は一例であり、負荷特性に合わせて電流に対する遮断時間の設定を変更すればよい。
【００３４】
また演算回路６０では、電圧検出回路５８が入力電圧の異常（過電圧および不足電圧）を検出すると、半導体スイッチ素子５７をオフさせており、異常電圧が負荷回路に供給されるのを防止する機能も備えている。
【００３５】
一方、コントローラ６は、複数台の回路遮断器５の開閉状態を制御する機能を有しており、制御回路６３と、不揮発性のメモリからなり複数の回路遮断器５を順番に開極又は閉極させるシーケンスを記憶した記憶部６４（記憶手段）と、例えば液晶ディスプレイ（ＬＣＤ）よりなる表示部６５と、複数の回路遮断器５との間で信号を入出力するＩ／Ｆ回路６６とを備えている。
【００３６】
またコントローラ６は、分岐出力停止機能、順次閉路機能、順次開路機能、停電検出機能、トータル電圧降下検出機能、トータル電流検出機能などの各種機能を備えている。分岐出力停止機能の実行時には、制御回路６３が、Ｉ／Ｆ回路６６を介して所望の回路遮断器５に開極制御信号を出力することによって、当該回路遮断器５をオフさせる。また順次閉路機能の実行時には、制御信号出力手段としての制御回路６３が、記憶部６４から読み取ったシーケンスにしたがい、Ｉ／Ｆ回路６６を介して複数の回路遮断器５に閉極制御信号を順番に出力することで、複数の回路遮断器５を所定の順番で閉極させる。また順次開路機能の実行時には、制御信号出力手段としての制御回路６３が、記憶部６４から読み取ったシーケンスにしたがい、Ｉ／Ｆ回路６６を介して複数の回路遮断器５に開極制御信号を順番に出力することで、複数の回路遮断器５を所定の順番で開極させる。また停電検出機能の実行時には、制御回路６３が、直流電力線１５の線路電圧を検出する電圧検出手段（図示せず）の検出結果に基づいて、停電の有無を判定しており、停電を検知すると表示部６５に停電発生を報知する。尚、コントローラ６の電源は図示しない二次電池によりバックアップされており、停電発生後も停電補償期間が経過するまでの間は動作を継続できるようになっている。またトータル電流検知機能では、制御回路６３は、Ｉ／Ｆ回路６６を介して各回路遮断器５から入力された電流値をもとに、複数の回路遮断器５に流れる電流の合計値を求めており、電流の合計値が所定の既定値を超えると、Ｉ／Ｆ回路６６から各回路遮断器５に開極制御信号を出力して、各回路遮断器５を開極させている。
【００３７】
本実施形態の直流用分岐回路保護装置（回路遮断器５及びコントローラ６）は上述のような構成を有しており、回路遮断器５はＤＣ分電盤１Ｂに内器として収納されるので、必要な個数の回路遮断器５を備えることによって、分岐回路の増減に容易に対応でき、しかも回路遮断器５では、コントローラ６からの開閉制御信号に応じて半導体スイッチ素子５７を開閉させているので、分岐回路への給電をコントローラ６によってオン／オフさせることができ、また設定電流を超える電流が流れると半導体スイッチ素子５７を強制開極することで、負荷を保護することができる。
【００３８】
また、複数の回路遮断器５の開閉を制御するコントローラ６では、記憶部６４に記憶されたシーケンスにしたがって、複数の回路遮断器５を順次閉極したり、順次開極したりすることで、複数の分岐回路に接続される負荷に所定の順番で給電を開始したり、給電を停止したりすることができる。
【００３９】
また、各回路遮断器５は、電源側接続端子として導電バー１７に差込接続される刃受ばね部材のような差込接続端子を備えるとともに、負荷側接続端子として、電線の被覆が剥かれた芯線が差込接続される速結構造の端子部を備えており、ネジ締め作業が不要であり、回路遮断器５の電気的な接続作業を容易に行えるという利点がある。
【００４０】
また更に、各回路遮断器５では、監視信号出力手段としての演算回路６０が、電流検出抵抗５６に生じた電圧降下から電流値を求め、この電流値を監視信号としてＩ／Ｆ回路６２からコントローラ６へ出力させているので、コントローラ側で各分岐回路に流れる電流値を把握することができる。
【００４１】
また、各回路遮断器５では、操作ハンドル５１の開閉操作に応じて、開閉スイッチ５２が開極又は閉極されるので、分岐回路側で保守作業を行う際などに、操作ハンドル５１を操作して開閉スイッチ５２を強制的に開極させることで、保守作業を安全に行うことができる。
【００４２】
なお、本実施形態では回路遮断器５は導電バー１７を介して供給される直流電圧を分岐回路にそのまま出力しているが、回路遮断器５にＤＣ／ＤＣコンバータ（図示せず）を内蔵させ、ＤＣ／ＤＣコンバータにより電圧値を変化させた直流電圧を負荷側へ供給してもよい。
【符号の説明】
【００４３】
１Ｂ  ＤＣ分電盤
５  回路遮断器
６  コントローラ
１５  直流電力線（主幹配線）
１６  ＤＣ／ＤＣコンバータ（直流電源）
１７  導電バー（主幹配線）
５６  電流検出抵抗（電流検出手段）
５７  半導体スイッチ素子
６０  演算回路（開閉制御手段）
ｔ１，ｔ２  電源側接続端子
ｔ３，ｔ４  負荷側接続端子
【図１】
2011010393.tif 000003
【図２】
2011010393.tif 000004
【図３】
2011010393.tif 000005
【図４】
2011010393.tif 000006
【図５】
2011010393.tif 000007